(57)【特許請求の範囲】
【請求項１】
複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置において、
導電薄体と、前記導電薄体と接触又は前記導電薄体と離れる電極と、を備え、前記団扇本体のしなりによって前記導電薄体と前記電極とが接触又は離れるタイミングを、前記往復運動における反転タイミングとして検出する反転タイミング検出手段と、
前記検出された反転タイミングから、当該反転タイミングに対応した前記往復運動の一方向で、記憶手段に記憶されている発光パターンに従って前記発光手段を発光表示させるように駆動制御する発光制御手段と、
前記団扇本体の表面に設けられた面状圧電素子と、当該面状圧電素子の両面に設けられた面状電極と、を備え、前記往復運動に対応して前記団扇本体及び前記面状圧電素子が反復してしなることによって発電された電荷を、前記面状電極を通じて前記発光手段、前記記憶手段及び前記発光制御手段に電力として供給する起電力手段と、
を備えることを特徴とする発光表示装置。
【請求項２】
複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置において、
少なくとも表面が導電である導電球体と、当該導電球体を収容する収容部と、当該収容部内側で前記往復運動に対応して移動する前記導電球体と接触又は離れる電極をそれぞれに三以上含む第１の電極群及び第２の電極群と、を備え、前記導電球体が前記第１の電極群内に移動して当該第１の電極群内のいずれか二つの前記電極間が導通し、前記第２の電極群から離れて当該第２の電極群内の前記電極間が全て非導通となることによって、前記往復運動における前記第２の電極群から前記第１の電極群の方向への反転タイミングを検出する反転タイミング検出手段と、
前記検出された反転タイミングから、当該反転タイミングに対応した前記往復運動の一方向で、記憶手段に記憶されている発光パターンに従って前記発光手段を発光表示させるように駆動制御する発光制御手段と、
前記団扇本体の表面に設けられた面状圧電素子と、当該面状圧電素子の両面に設けられた面状電極と、を備え、前記往復運動に対応して前記団扇本体及び前記面状圧電素子が反復してしなることによって発電された電荷を、前記面状電極を通じて前記発光手段、前記記憶手段及び前記発光制御手段に電力として供給する起電力手段と、
を備えることを特徴とする発光表示装置。
【請求項３】
複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置の制御方法において、
前記発光表示装置は、導電薄体と、前記導電薄体と接触又は前記導電薄体と離れる電極と、を備える反転タイミング検出手段と、前記団扇本体の表面に設けられた面状圧電素子と、当該面状圧電素子の両面に設けられた面状電極と、を備える起電力手段と、記憶手段と、を備え、
前記反転タイミング検出手段により、前記団扇本体のしなりによって前記導電薄体と前記電極とが接触又は離れるタイミングを、前記往復運動における反転タイミングとして検出する反転タイミング検出工程と、
前記検出された反転タイミングから、当該反転タイミングに対応した前記往復運動の一方向で、前記記憶手段に記憶されている発光パターンに従って前記発光手段を発光表示させるように駆動制御する発光制御工程と、
前記起電力手段により、前記往復運動に対応して前記団扇本体及び前記面状圧電素子が反復してしなることによって発電された電荷を、前記面状電極を通じて前記発光手段及び前記記憶手段に電力として供給する起電力工程と、
を含むことを特徴とする発光表示装置の制御方法。
【請求項４】
複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置の制御方法において、
前記発光表示装置は、少なくとも表面が導電である導電球体と、当該導電球体を収容する収容部と、当該収容部内側で前記往復運動に対応して移動する前記導電球体と接触又は離れる電極をそれぞれに三以上含む第１の電極群及び第２の電極群と、を備える反転タイミング検出手段と、前記団扇本体の表面に設けられた面状圧電素子と、当該面状圧電素子の両面に設けられた面状電極と、を備える起電力手段と、記憶手段と、を備え、
前記反転タイミング検出手段により、前記導電球体が前記第１の電極群内に移動して当該第１の電極群内のいずれか二つの前記電極間が導通し、前記第２の電極群から離れて当該第２の電極群内の前記電極間が全て非導通となることによって、前記往復運動における前記第２の電極群から前記第１の電極群の方向への反転タイミングを検出する反転タイミング検出工程と、
前記検出された反転タイミングから、当該反転タイミングに対応した前記往復運動の一方向で、前記記憶手段に記憶されている発光パターンに従って前記発光手段を発光表示させるように駆動制御する発光制御工程と、
前記起電力手段により、前記往復運動に対応して前記団扇本体及び前記面状圧電素子が反復してしなることによって発電された電荷を、前記面状電極を通じて前記発光手段及び前記記憶手段に電力として供給する起電力工程と、
を含むことを特徴とする発光表示装置の制御方法。
【発明の詳細な説明】
【技術分野】
【０００１】
本発明は、複数の発光手段が一方向に配置された筐体を、前記一方向と交差する方向に振ったときの残像効果を利用して像表示を行うようにした発光表示装置に関する。
【背景技術】
【０００２】
従来から、このような発光表示装置として、例えば棒状の筐体にダイオード等の発光手段を長手方向に複数個並べ、長手方向と交差する方向に旗振り動作が行われたとき、この旗振り動作に応じて発光手段の発光を制御することで、その残像効果を利用して、文字や図形等が表示されて見えるようにしたものが提案されている。そして、例えば、角速度検出器により、旗振り動作の方向やその速度を検出しこれに応じて発光タイミングを調整することで、旗振り動作の方向によって文字や図形等の表示すべき画像が左右反転表示されたり、旗振り動作の速度によって画像が縦長や横長に表示されたりすることを回避するようにしたもの（特許文献１参照）、また、加速度センサを用いて筐体の振り速度を検出しこれに応じて発光タイミングを調整するようにしたもの（特許文献２参照）が提案されている。
【先行技術文献】
【特許文献】
【０００３】
【特許文献１】特開平１３−２４２８１３号公報
【特許文献２】特開２００４−２６４４４０号公報
【発明の概要】
【発明が解決しようとする課題】
【０００４】
上述した発光表示装置は、様々な分野で適用することができるが、例えば、発光表示装置を左右に振る反復動作では、往路に対し、復路での表示される文字や絵は反転するので、往路と復路とを感知し、往路と復路では表示される文字や絵が表示される制御方法を変更しなければならない。
【０００５】
したがって、発光表示装置の制御には、往路と復路とを感知する高価な感知器や、往路と復路とで文字や絵が表示される制御方法を変更する演算機構が必要であるために、発光表示装置に付加される構造が複雑になりやすく、コストも高くなるという課題がある。
【０００６】
また、発光表示装置に使用される、例えば、ＬＥＤ等の発光素子の発光・消灯、および、演算機構等のシステム制御には電源が必要になるが、一般に市販されている発光表示装置の一例としてのバーサライタでは電源として電池が必要になる。
【０００７】
電池を使用する場合には、使用途中に電池切れが発生するとその場で発光表示装置の発光部分が発光しなくなってしまう。また、電池を交換する場合には電池交換の手間がかかってしまう。また、電源を切り忘れると使用目的以外で電池が無駄に消耗してしまうという問題がある。
【０００８】
そこで、本発明は、このような点に鑑みてなされたものであり、発光表示装置の本体が屈曲して、しなるという構造における特性を活用し、安価かつ簡易な構成で、安定した動作および電力の供給ができる発光表示装置および発光表示装置の制御方法を提供することを目的とする。
【課題を解決するための手段】
【０００９】
上記課題を解決するため、請求項１に記載の発明は、複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置において、導電薄体と、前記導電薄体と接触又は前記導電薄体と離れる電極と、を備え、前記団扇本体のしなりによって前記導電薄体と前記電極とが接触又は離れるタイミングを、前記往復運動における反転タイミングとして検出する反転タイミング検出手段と、前記検出された反転タイミングから、当該反転タイミングに対応した前記往復運動の一方向で、記憶手段に記憶されている発光パターンに従って前記発光手段を発光表示させるように駆動制御する発光制御手段と、前記団扇本体の表面に設けられた面状圧電素子と、当該面状圧電素子の両面に設けられた面状電極と、を備え、前記往復運動に対応して前記団扇本体及び前記面状圧電素子が反復してしなることによって発電された電荷を、前記面状電極を通じて前記発光手段、前記記憶手段及び前記発光制御手段に電力として供給する起電力手段と、を備えることを特徴とする。
【００１０】
上記課題を解決するため、請求項２に記載の発明は、複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置において、少なくとも表面が導電である導電球体と、当該導電球体を収容する収容部と、当該収容部内側で前記往復運動に対応して移動する前記導電球体と接触又は離れる電極をそれぞれに三以上含む第１の電極群及び第２の電極群と、を備え、前記導電球体が前記第１の電極群内に移動して当該第１の電極群内のいずれか二つの前記電極間が導通し、前記第２の電極群から離れて当該第２の電極群内の前記電極間が全て非導通となることによって、前記往復運動における前記第２の電極群から前記第１の電極群の方向への反転タイミングを検出する反転タイミング検出手段と、前記検出された反転タイミングから、当該反転タイミングに対応した前記往復運動の一方向で、記憶手段に記憶されている発光パターンに従って前記発光手段を発光表示させるように駆動制御する発光制御手段と、前記団扇本体の表面に設けられた面状圧電素子と、当該面状圧電素子の両面に設けられた面状電極と、を備え、前記往復運動に対応して前記団扇本体及び前記面状圧電素子が反復してしなることによって発電された電荷を、前記面状電極を通じて前記発光手段、前記記憶手段及び前記発光制御手段に電力として供給する起電力手段と、を備えることを特徴とする。
【００１１】
上記課題を解決するため、請求項３に記載の発明は、複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置の制御方法において、前記発光表示装置は、導電薄体と、前記導電薄体と接触又は前記導電薄体と離れる電極と、を備える反転タイミング検出手段と、前記団扇本体の表面に設けられた面状圧電素子と、当該面状圧電素子の両面に設けられた面状電極と、を備える起電力手段と、記憶手段と、を備え、前記反転タイミング検出手段により、前記団扇本体のしなりによって前記導電薄体と前記電極とが接触又は離れるタイミングを、前記往復運動における反転タイミングとして検出する反転タイミング検出工程と、前記検出された反転タイミングから、当該反転タイミングに対応した前記往復運動の一方向で、前記記憶手段に記憶されている発光パターンに従って前記発光手段を発光表示させるように駆動制御する発光制御工程と、前記起電力手段により、前記往復運動に対応して前記団扇本体及び前記面状圧電素子が反復してしなることによって発電された電荷を、前記面状電極を通じて前記発光手段及び前記記憶手段に電力として供給する起電力工程と、を含むことを特徴とする。
【００１２】
上記課題を解決するため、請求項４に記載の発明は、複数の発光手段が少なくとも一方向に配置され且つ往復運動によりしなる団扇本体と、団扇柄部と、からなる団扇に使用される発光表示装置であって、前記団扇本体が前記一方向と交差する前記往復運動の方向に振られたときに、当該往復運動に応じて前記発光手段を発光させ、その残像効果を利用して所定の像表示を行うようにした発光表示装置の制御方法において、前記発光表示装置は、少なくとも表面が導電である導電球体と、当該導電球体を収容する収容部と、当該収容部内側で前記往復運動に対応して移動する前記導電球体と接触又は離れる電極をそれぞれに三以上含む第１の電極群及び第２の電極群と、を備える反転タイミング検出手段と、前記団扇本体の表面に設けられた面状圧電素子と、当該面状圧電素子の両面に設けられた面状電極と、を備える起電力手段と、記憶手段と、を備え、前記反転タイミング検出手段により、前記導電球体が前記第１の電極群内に移動して当該第１の電極群内のいずれか二つの前記電極間が導通し、前記第２の電極群から離れて当該第２の電極群内の前記電極間が全て非導通となることによって、前記往復運動における前記第２の電極群から前記第１の電極群の方向への反転タイミングを検出する反転タイミング検出工程と、前記検出された反転タイミングから、当該反転タイミングに対応した前記往復運動の一方向で、前記記憶手段に記憶されている発光パターンに従って前記発光手段を発光表示させるように駆動制御する発光制御工程と、前記起電力手段により、前記往復運動に対応して前記団扇本体及び前記面状圧電素子が反復してしなることによって発電された電荷を、前記面状電極を通じて前記発光手段及び前記記憶手段に電力として供給する起電力工程と、を含むことを特徴とする。
【発明の効果】
【００１８】
本発明によれば、花火大会、コンサート等の興行において広く利用される団扇の広告媒体に対して、ＬＥＤ等の発光デバイスと、安価であり、簡易であり、丈夫な構成である制御部材等を取り付けることにより、発光デバイスの周囲にいるユーザに視覚効果を通じて広告内容を強くアピールすることができるようになる。このことによって、付加価値を一層高めることができる広告媒体を提供することができる。また、反転検知回路の構造を、団扇本体が往復運動の際に有するしなり等の機械特性を有効に利用する構成としたので、簡単な構成でありながらユーザの残像特性を利用した視覚効果を有効に引き出すことができる。
【図面の簡単な説明】
【００１９】
【図１】本実施形態に係る発光表示装置の概要構成の一例を示す図である。
【図２】本実施形態に係る発光表示装置の文字表示方法の概念の一例を示す図である。
【図３】本実施形態に係る発光表示装置の反転タイミングと反転タイミングに対応した文字表示方法の一例を示す図である。
【図４】本実施形態に係る発光表示装置の回路ブロック図の一例を示す図である。
【図５】（Ａ）は本実施形態に係る発光表示装置の反転タイミング部の一例を示す図である。（Ｂ）は（Ａ）に係わる反転タイミング部の動作の一例を示す図である。
【図６】（Ａ）は本実施形態に係る発光表示装置の反転タイミング部のその他の一例を示す図である。（Ｂ）は（Ａ）に係わる反転タイミング部の動作の一例を示す図である。
【図７】（Ａ）は本実施形態に係る発光表示装置の反転タイミング部のその他の一例を示す図である。（Ｂ）は（Ａ）に係わる反転タイミング部の導電球体と接触する電極の配置の一例を示す図である。（Ｃ）は反転タイミング部の導電球体が一端に寄った場合の接触する電極との配置を示した図である。（Ｄ）は反転タイミング部の導電球体が他の一端に寄った場合の接触する電極との配置を示した図である。
【図８】（Ａ）は本実施形態に係る発光表示装置の起電力部の一例を示す図である。（Ｂ）は起電力部の発電部分を拡大した図である。
【図９】（Ａ）は本実施形態に係る発光表示装置の起電力部のその他の一例を示す図である。（Ｂ）は（Ａ）に係る発光表示装置の起電力部の起電流の一例を示す図である。（Ｃ）は（Ａ）に係る発光表示装置の起電力部の起電流のその他の一例を示す図である。
【図１０】本発明の実施形態に係わる動作電圧生成部のブロック図の一例を示した図である。
【図１１】（Ａ）は本実施形態に係る発光表示装置の電源供給回路の一例を示す図である。（Ｂ）は本実施形態に係る発光表示装置の電源供給回路のその他の一例を示す図である。
【発明を実施するための形態】
【００２０】
広告媒体としてポスターや看板等が使用されているが、夏の暑い時期には、イベント会場、夏祭り等の催し物に広告内容を印刷した団扇が、広告媒体として非常に有効なものとなっている。
【００２１】
そこで、ＬＥＤ等の発光手段を団扇に付加することで、さらに視覚的に広告効果が大きくなる光表示装置について以下に説明する。
【００２２】
図１は、本実施形態に係る発光表示装置の概要構成例を示す図である。
【００２３】
図１に示すように、本実施形態に係る発光表示装置は、装置本体としての団扇本体１と、団扇本体１の側面に設けられた発光手段としてのＬＥＤ（Light Emission Diode）２（２ａ、２ｂ、２ｃ、２ｄ、２ｅ、２ｆ、２ｇ、２ｈ、２ｉ、２ｊ）と、制御部３および起電力部としての電源部４が備えられた団扇柄部５と、反転タイミング検出手段としての反転検知部６とが具備されている。
【００２４】
なお、ＬＥＤ２、制御部３、電源部４、反転検知部６の取り付け位置は図１に示された位置に限定されるわけではなく、それらの機能が発揮される団扇本体１と団扇柄部５の任意の位置にとりつけることができ、その取り付け位置の例を以下に詳述する。
【００２５】
図２は、団扇本体１の側面に取り付けられたＬＥＤ２が制御部３によって発光させられる発光パターンの一例を時系列的に説明した図である。
【００２６】
ＬＥＤ２は団扇本体１の側面に取り付けられているので、団扇本体１の側面を見ているユーザに対して、文字等を認識させるためには、団扇本体１の動きに対応して、ユーザに認識させる文字を表示させる必要がある。すなわち、一次元に配置されたＬＥＤが移動しながら、1つの文字（図２ではアルファベットの「Ａ」という文字）の一部分（横方向に複数個の列に分割された「Ａ」という文字の中の一列）を順番に連続的に表示させることで、ユーザに二次元で表示される文字を認識させるのである。
【００２７】
図２の横軸は時刻を示し、ｔ０は団扇本体１の最初の位置を示し、ｔ１からｔ２、ｔ３、ｔ４と時間が経つに連れて、団扇本体１の側面に取り付けられているＬＥＤ２の発光パターンが変化することが示されている。
【００２８】
図２は、アルファベットの「Ａ」という文字を団扇本体１の側面を見ているユーザに認識させようとする場合を示している。時刻ｔ０では、ＬＥＤ２ｅ〜ＬＥＤ２ｊが発光し、ＬＥＤ２ａ〜ＬＥＤ２ｄが消灯する。団扇本体１の側面が、団扇本体１の側面を見ているユーザに対して左側へ移動し、時刻ｔ１になると、ＬＥＤ２ｃ〜ＬＥＤ２ｄ、ＬＥＤ２ｇが発光し、ＬＥＤ２ａ、２ｂ、２ｅ、２ｆ、２ｈ〜２ｊが消灯する。団扇本体１の側面が、さらに左側へ移動し、時刻ｔ２になると、ＬＥＤ２ｂ、ＬＥＤ２ｇが発光し、ＬＥＤ２ａ、２ｃ〜２ｆ、２ｈ〜２ｊが消灯する。このように、団扇本体１の側面のＬＥＤ２が団扇本体１の移動と共に文字「Ａ」の一部分を左から順次に発光または消灯させることによって、団扇本体１の側面を見ているユーザは文字「Ａ」を認識することができる。
【００２９】
団扇本体１が片道を移動する間にＬＥＤ２に表示させる文字は一文字である必要は無く、複数の文字を順番に表示させ、広告メッセージ等のメッセージを団扇本体１の側面を見ているユーザに伝えることができる。また、団扇本体１が往復する場合に、復路ではＬＥＤ２に表示させる文字を往路とは逆順に表示させること、または、復路ではＬＥＤ２に文字を表示させないようにすることもできる。
【００３０】
また、ＬＥＤ２の発光時間を短くすることによって、表示される文字が流れて表示されることがなくなり、ユーザに視認される文字をシャープにすることができる。
【００３１】
図３は本実施形態に係る発光表示装置の反転タイミングと反転タイミングに対応した文字表示方法の一例を示す図である。
【００３２】
団扇本体１が振られると、電源部４で起電力が発生し、起電圧が所定のしきい値を超えると、制御部３が動作を開始し、反転検知部６で団扇本体１が振られている方向を検知し、ＬＥＤ２が制御部３の制御の基に所定のパターン（図２を参照）を発光し始める。
【００３３】
図３（Ａ）において、団扇本体１の側面を見ているユーザから右側に団扇本体１が振られると、団扇本体１は空気抵抗で左側に屈曲し（しなり）、右側に反転を始めた瞬間に反転検知部６が団扇本体１の右側への移動を検知し、制御部３がＬＥＤ２を所定のパターン（広告メッセージ等）を表示し始める。
【００３４】
図３（Ｂ）では、団扇本体１の側面を見ているユーザから右側に団扇本体１が振られている途中で、団扇本体１の側面は、団扇本体１の側面を見ているユーザと垂直方向に位置する。この状態では、団扇本体１は空気抵抗で左側に屈曲して（しなって）いるので、団扇本体１の反転検知部６は、図３（Ａ）と同様に、団扇本体１が左側に屈曲していることを検知している。また、制御部３はＬＥＤ２を所定のパターン（広告メッセージ等）を表示させる動作を継続する。
【００３５】
図３（Ｃ）では、団扇本体１の側面を見ているユーザから右側に最大限まで屈曲し（しなり）、左側に反転を始めた瞬間に、団扇本体１は空気抵抗で右側に屈曲し（しなる）ので、反転検知部６が団扇本体１の反転を検知し、制御部３がＬＥＤ２を消灯させる。
【００３６】
団扇本体１の側面を見ているユーザの右側から左側に団扇本体１がＬＥＤ２を表示させないことで、ユーザは左側から右側に綴られるメッセージを認識することが容易になる。
【００３７】
団扇が振られると、団扇本体１が左右に往復運動を繰り返すので、図３（Ａ）→図３（Ｂ）→図３（Ｃ）の往路では発光手段が発光して表示動作をし、団扇本体１の復路である図３（Ｃ）→図３（Ａ）では全ての発光手段が消灯し、この表示動作と消灯動作を繰り返す。
【００３８】
なお、図３（Ａ）で表示し始めた所定のパターン（広告メッセージ等）と反対のパターン（逆文字等）を復路で表示してもよい。
【００３９】
図４は、本実施形態に係る発光表示装置の回路ブロック図の一例を示す図である。
【００４０】
制御部３は、反転検知部６によって団扇本体１の反転を検知すると、ＬＥＤ２（単色である必要はなく、多色を用いてもよい）を記憶部７に記憶されている所定のパターンで発光・消灯し始める。記憶部７に記憶されている所定のパターンは、上位インターフェース部８を介して予め記憶される。上位インターフェース部８は、団扇本体１に設けられている必要はなく、ＬＥＤ２の発光パターンを変更する場合、または、団扇本体１の製造段階で記憶部７に発光パターンを書き込む場合に、インターフェース（図示せず）を介して取り付けられることができるように構成されている。上位インターフェース部８は外部のコンピュータ（図示せず）から発光パターンを受信し、制御部３を介して記憶部７に受信した発光パターンを書き込む。
【００４１】
また、制御部３には、ＬＥＤ２等の発光手段の点滅を制御するためのタイマーが備えられている。
【００４２】
なお、コストを削減するために、上位インターフェース部８を取り付けることができるようにする、図示しないインターフェースを設けなくともよい。この場合には、記憶部７に記憶された発光パターンは書き換えられない。
【００４３】
ＬＥＤ２、制御部３、反転検知部６、記憶部７に電源を供給する電源部４は、以下に説明する、団扇本体１の表面に設けられる面状圧電素子の変形によって発生する電荷、および、螺旋コイルと磁石によって発生する電磁誘導電流によって電源が供給される。
【００４４】
これらの電源により供給される電力は交流になるので、動作電圧生成部９において、整流およびレギュレーションを実施して、ＬＥＤ２、制御部３、反転検知部６、記憶部７に適した直流電圧に変換する。
【００４５】
図５（Ａ）は本実施形態に係る発光表示装置の反転タイミング部の一例を示す図である。
【００４６】
図５（Ａ）は本実施形態に係る団扇本体１を側面から見た図を模式的に表した図である。団扇柄部５とは反対側の団扇本体１の先端に、金属箔１０ａと金属箔１０ｂとが団扇本体１の表面と略平行に取り付けられている。金属箔１０ａおよび金属箔１０ｂは団扇本体１の表面上で自由に屈曲（しなること）ができるように、金属箔１０ａの団扇柄部５側の一端および金属箔１０ｂの団扇柄部５側の一端が団扇本体１に固定されている。
【００４７】
また、金属箔１０ａと対向する団扇本体１の先端に電極１１ａが取り付けられ、金属箔１０ｂと対向する団扇本体１の先端に電極１１ｂが取り付けられている。
【００４８】
団扇本体１がユーザによって振られて、図５（Ｂ）で表されるように図５に向かって右側に団扇本体１が屈曲する（しなる）と、空気抵抗によって金属箔１０ａと電極１１ａとが接触するので、制御部３は、金属箔１０ａと電極１１ａとの接触を検知することによって団扇本体１が右側に屈曲している（しなっている）ことを認識できる。また、この状態（団扇本体１が左側に振られている状態）では、金属箔１０ｂと電極１１ｂとは非接触状態である。
【００４９】
この状態から、団扇本体１が振られる方向が図５に向かって右側に反転すると、金属箔１０ａと電極１１ａとは接触状態から非接触状態に変化し、金属箔１０ｂと電極１１ｂとは非接触状態から接触状態に変化する。したがって、制御部３は、金属箔１０ａと電極１１ａとの間の接触状態から非接触状態への変化、および金属箔１０ｂと電極１１ｂとの間の非接触状態から接触状態への変化を検知することによって、団扇本体１の振られる方向が図５に向かって左側から右側に変化したことを検知することができる。また、団扇本体１の振られる方向が図５に向かって右側から左側に変化したことも同様に検知することができる。
【００５０】
本実施形態では、二対の金属箔１０と電極１１とで団扇本体１の振られる方向の変化を検知したが、これはより確実に団扇本体１の振られる方向の変化を検知するためであり、一対の金属箔１０と電極１１とで団扇本体１の振られる方向の変化を検知することもできる。
【００５１】
図６（Ａ）は本実施形態に係る発光表示装置の反転タイミング部のその他の一例を示す図である。
【００５２】
団扇本体１と団扇柄部５との境界付近の団扇本体１の表面に一対の金属箔１２ａおよび１２ｂが取り付けられ、団扇本体１の裏面に一対の金属箔１３ａおよび１３ｂが取り付けられている。一対の金属箔１２ａおよび１２ｂの間には絶縁体１４が挟まれており、一対の金属箔１３ａおよび１３ｂの間には絶縁体１５が挟まれている。一対の金属箔１２ａおよび１２ｂと一対の金属箔１３ａおよび１３ｂとは団扇本体１の平面に対して表裏逆に取り付けられてもよい。
【００５３】
図６（Ｂ）に示されるように、団扇本体１がユーザによって図６に向かって左側に振られて、図６（Ａ）の状態から団扇本体１が右側に屈曲する（しなる）と、金属箔１３ａと電極１３ｂとが接触するので、制御部３は、金属箔１３ａと電極１３ｂとの接触を検知することによって団扇本体１が図６に向かって右側に屈曲している（しなっている）ことを検知できる。また、この状態では、金属箔１２ａと電極１２ｂとは非接触状態である。
【００５４】
この状態から、団扇本体１が図６に向かって右側に振られると、金属箔１３ａと電極１３ｂとは接触状態から非接触状態に変化し、金属箔１２ａと電極１２ｂとは非接触状態から接触状態に変化する。したがって、制御部３は、金属箔１３ａと電極１３ｂとの間の接触状態から非接触状態への変化、および金属箔１２ａと電極１２ｂとの間の非接触状態から接触状態への変化を検知することによって、団扇本体１の振られる方向が図６に向かって左側から右側に変化したことを検知することができる。また、団扇本体１の振られる方向が図６に向かって右側から左側に変化したことも同様に検知することができる。
【００５５】
本実施形態では、二対の金属箔１２と金属箔１３とで団扇本体１の振られる方向の変化を検知したが、これはより確実に団扇本体１の振られる方向の変化を検知するためであり、一対の金属箔１２または一対の金属箔１３で団扇本体１の振られる方向の変化を検知することもできる。
【００５６】
図７は本実施形態に係る発光表示装置の反転タイミング部のその他の一例を示す図である。
【００５７】
図７（Ａ）は本実施形態に係る導電球体１７の動作を示す図である。導電球体１７は導電球体１７を収容する収容部１６の中に配置され、収容部１６の中を右側または左側に自由に転がることができる。収容部１６は団扇本体１の先端部に団扇本体１の面とは略垂直方向に取り付けられる。したがって、導電球体１７は団扇本体１がユーザによって振られると、団扇本体１が振られる方向に対応して、収容部１６の右端および右端の周囲の内面（前面、上面、下面、奥面）または左端および左端の周囲の内面（前面、上面、下面、奥面）に接触する。
【００５８】
図７（Ｂ）は本実施形態に係わる反転タイミング部の電極１８および電極１９の配置を示す図である。収容部１６の内面には導電球体１７と接触する電極１８および電極１９が取り付けられている。
【００５９】
団扇本体１がユーザによって、例えば図７に向かって左側に振られることによって、図７（Ｄ）に示すように導電球体１７が収容部１６の右側の側面に接触すると、導電球体１７は電極１８ａ（右側―上）、電極１８ｂ（右側―前）、電極１８ｃ（右側―下）、電極１８ｄ（右側―奥）、電極１８ｅ（右側―端）と接触する。なお導電球体１７が接触する面については以下に詳述する。
【００６０】
同様に、団扇本体１がユーザによって、例えば図７に向かって右側に振られることによって、図７（Ｃ）に示すように導電球体１７が収容部１６の左側の側面に接触すると、導電球体１７は電極１９ａ（左側―上）、電極１９ｂ（左側―前）、電極１９ｃ（左側―下）、電極１９ｄ（左側―奥）、電極１９ｅ（左側―端）と接触する。なお導電球体１７が接触する面については以下に詳述する。
【００６１】
したがって、いずれかの電極の組み合わせが検出されれば、団扇本体１が振られている方向を検出できる。しかし、より確実に団扇本体１が振られている方向を検出するために、表１、表２、表３または表４のいずれかの表の中の一つの組み合わせが検出された場合に、団扇本体１が左側に振られていると判断することによって、団扇本体１が振られている方向の検出精度を上げることができる。
【００６２】
たとえば、表１では導通が検出される一端が電極１８ｅ（右側―端）であり、電極１８ｅ（右側―端）と、電極１８ａ（右側―上）、電極１８ｂ（右側―前）、電極１８ｃ（右側―下）および電極１８ｄ（右側―奥）の何れかの導通が検出される場合を表す。
【００６３】
表１の何れかの導通が検出され、または、表２の何れかの導通が検出され、または、表３の何れかの導通が検出され、または、表４の何れかの導通が検出された場合に、制御部３は団扇本体１が図７に向かって左側に振られていると判断する。
【００６４】
または、上記の導通の全ての場合を検出できるようにするには配線等が複雑になるので、簡易な検出方法として、電極１８ｅ（右側―端）を基準にして、たとえば、電極１８ｅ（右側―端）と、電極１８ａ（右側―上）、電極１８ｂ（右側―前）、電極１８ｃ（右側―下）および電極１８ｄ（右側―奥）の何れかの導通が検出された場合に、制御部３は団扇本体１が図７に向かって左側に振られていると判断してもよい。
【００６５】
また、同様に団扇本体１がユーザによって、例えば図７に向かって右側に振られることによって、導電球体１７が収容部１６の図７（Ｃ）のように左側の側面に接触して電極１９と導通する場合にも、電極１８と同様の組み合わせで、制御部３は団扇本体１が右側に振られていると判断してもよい。
【００６６】
【表１】
0005581988.tif 000002
【００６７】
【表２】
0005581988.tif 000003
【００６８】
【表３】
0005581988.tif 000004
【００６９】
【表４】
0005581988.tif 000005
【００７０】
次に、図８を用いて、本実施形態に係る発光表示装置の起電力部の一例について説明する。
【００７１】
図８は、団扇本体１と団扇柄部５との全体を側面から見た模式図である。
【００７２】
本実施形態においては、電源部４は団扇本体１に含まれる団扇支柱面２０の表面または裏面の片面、若しくは、表面と裏面の両面に面状圧電素子が取り付けられ、団扇本体１が振られて団扇本体１が屈曲することによって面状圧電素子に電荷が発生し、発生した電荷を面状電極の両面に配置された上面電極と下面電極を介して動作電圧生成部９に供給する。
【００７３】
また、面状圧電素子は団扇支柱面２０の全面を覆おう必要はなく、起電力に応じて、団扇支柱面２０の一部を覆う構成としてもよい。
【００７４】
図８（Ａ）では、団扇本体１に含まれる団扇支柱面２０の表面に面状圧電素子２１ａを含む発電部分２１が取り付けられ、団扇支柱面２０の裏面に面状圧電素子を含む発電部分２２が取り付けられる様子が示されている。
【００７５】
また、発電部分２１は面状圧電素子２１ａと、面状圧電素子２１ａの両面に取り付けられる上面電極２１ｂと下面電極２１ｃとを含んで構成される。上面電極２１ｂと下面電極２１ｃとには面状圧電素子２１ａで発生した電荷が集められる（図８（Ｂ）参照）。
【００７６】
さらに、発電部分２１の外面には、表示面２３が取り付けられ、表示面２３には広告等が印刷される。表示面２３の材質は紙、プラスチック等の可撓性のある薄い材料が使用される。
【００７７】
同様に、発電部分２２は面状圧電素子と、面状圧電素子の両面に取り付けられる上面電極と下面電極とを含んで構成される。上面電極と下面電極とには面状圧電素子で発生した電荷が集められる（図示せず）。
【００７８】
また、発電部分２２の外面には、表示面２４が取り付けられ、表示面２４には広告等が印刷される。表示面２４の材質は紙、プラスチック等の可撓性のある薄い材料が使用される。
【００７９】
図８（Ｂ）には、面状圧電素子２１ａの両面に上面電極２１ｂと下面電極２１ｃが貼り合わされた構造が示されている。
【００８０】
図９（Ａ）は、本実施形態に係る発光表示装置の起電力部の他の一例を示す図である。
【００８１】
図９（Ａ）では、団扇柄部５の部分にコイル状の導体２５と、コイル状の導体２５の内側でコイル状の導体２５に直交する方向に摺動できるように配置された磁石２６とが配置されている状態が示されている。
【００８２】
ユーザが団扇柄部５を手で握って、団扇本体１を振ると、団扇柄部５の内部の磁石２６に遠心力が働き、団扇本体１の運動方向が反転するときに遠心力から解放されるので、団扇柄部５の内部の磁石２６は上下に往復することがある。また、ユーザが団扇本体１を上下に振る場合があり、この場合にも団扇柄部５の内部の磁石２６は上下に往復する。この磁石２６の上下運動と、コイル状の導体２５との間に発生する誘導電流が動作電圧生成部９に供給されて一定のレベルを有する直流電圧に変換される。
【００８３】
図９（Ｂ）では、団扇柄部５の内部の磁石２６が団扇本体１側に向かって移動する様子が示されている。ユーザが団扇本体１を上向きにして左右に振り始めた場合、団扇本体１が右から左、または左から右に方向転換した場合、団扇本体１を下向きに振った場合に、この状態が発生する。
【００８４】
団扇柄部５の内部の磁石２６が団扇本体１側に向かって移動し始めると、図９（Ｂ）において、矢印Ｈ１に向かって誘導電流Ｉが流れ始める。誘導電流Ｉは動作電圧生成部９に供給される。
【００８５】
図９（Ｃ）では、団扇柄部５の内部の磁石２６が団扇本体１側から遠ざかる方向に移動する様子が示されている。ユーザが団扇本体１を上向きにして左右に振り始めた後に団扇本体１の振られる方向が転換された直後、または、団扇本体１を上向きに振った場合に、この状態が発生する。
【００８６】
団扇柄部５の内部の磁石２６が団扇本体１側から遠ざかる方向に向かって移動し始めると、図９（Ｃ）において、矢印Ｈ２に向かって誘導電流Ｉが流れ始める。誘導電流Ｉは動作電圧生成部９に供給される。この磁石２６の上下運動と、コイル状の導体２５との間に発生する誘導電流は交流になるので、動作電圧生成部９に供給された誘導電流は、直流に変換された後に、一定のレベルを有する直流電圧に変換される。
【００８７】
図１０は、本発明の実施形態に係わる動作電圧生成部９のブロック図の一例を示したものである。
【００８８】
電源部４から供給される電力は交流であるので、ＡＣ／ＤＣコンバータ等の電子デバイス２７に供給されて、直流電圧に変換される。変換された直流電圧をレギュレータ、ＤＣ―ＤＣコンバータ等の電子デバイス２８で、制御部３、ＬＥＤ２等の電子デバイスが動作する範囲の電圧に変換する。一例として、変換された後の電圧範囲は１．８Ｖ〜５．０Ｖ程度である。
【００８９】
図１１（Ａ）は本実施形態に係る発光表示装置の電源供給回路の一例を示す図である。
【００９０】
図１１（Ａ）では本実施形態に係る反転検知部６を動作電圧生成部９の出力端に接続し、反転検知部６が導通している間だけ制御部３に電力を供給し、ＬＥＤ２を発光させる電源供給回路を示したものである。この電源供給回路の長所は、ＬＥＤ２を発光させるのに必要なタイミングだけ電源部４から供給される電力を消費するように構成しているので、省電力化がはかれる点にある。また、この電源供給回路の短所としては、ＬＥＤ２の発光が安定しない可能性がある。
【００９１】
図１１（Ｂ）は本実施形態に係る発光表示装置の電源供給回路のその他の一例を示す図である。
【００９２】
図１１（Ｂ）では本実施形態に係る反転検知部６は制御部３の入力ポートに接続され、制御部３は接続された入力ポートの状態（High/Low）を読み出して、反転検知部６の状態を検知し、ＬＥＤ２の発光・消灯動作を制御する。また動作電圧生成部９の出力端は、制御部３の電源端子（図示せず）、ＬＥＤ２のアノード（図示せず）に接続され、それぞれ、制御部３およびＬＥＤ２に必要な電圧を供給する。
【００９３】
この電源供給回路の長所には、ＬＥＤ２の発光が安定するという点が挙げられる。また、この電源供給回路の短所には、ＬＥＤ２を発光させるのに必要なタイミングだけ電源部４から供給される電力を消費するように構成している図１１（Ａ）の回路構成よりも、省電力化では劣るという点が挙げられる。
【００９４】
以上のように構成された発光表示装置によれば、安価かつ簡易な構成で、安定した動作および電力を供給する発光表示装置、発光表示装置の制御方法および発光表示装置の制御プログラムを提供することができる。
【００９５】
また、本発明の構成の使用例は、団扇に限られるわけではなく、一例として、指揮棒やマラカスが挙げられる。指揮棒やマラカスにＬＥＤを取り付けることによって、聴衆者を楽しませるという、コンサート等での演出効果が期待できる。
【００９６】
指揮棒の場合には、聴衆者に視覚効果をアピールするために、指揮棒を持つ指揮者の後方から、ＬＥＤ２の残像効果によるメッセージが読めるように、制御部３は記憶部７に記憶された発光パターンに従ってＬＥＤ２を発光させる。
【００９７】
また、本発明の構成使用例の他の一例として、シェイカー（飲食店においてカクテルを作るための器具）が挙げられる。
【００９８】
シェイカーにＬＥＤを取り付けることによって、飲食者を楽しませるという、飲食店での演出によって集客効果が期待できる。
【００９９】
さらに、本発明の構成使用例の他の一例として、商品のノベルティ商品としての振る飲料パッケージが挙げられる。振る飲料パッケージにＬＥＤを取り付けることによって、消費者の購買意欲を刺激し、商品の売り上げを伸ばす効果が期待され、おまけとしての振る飲料パッケージの付加価値を高めることができる。
【０１００】
また、電源部４にボタン電池等の電池を使用することもできる。
【０１０１】
なお、本発明は、上記実施の形態に限定されるものではなく、種々の変更ができる。
【符号の説明】
【０１０２】
１  団扇本体
２  ＬＥＤ
３  制御部
４  電源部
５  団扇柄部
６  反転検知部
７  記憶部
８  上位インターフェース部
９  動作電圧生成部
【図１】
0005581988.tif 000006
【図２】
0005581988.tif 000007
【図３】
0005581988.tif 000008
【図４】
0005581988.tif 000009
【図５】
0005581988.tif 000010
【図６】
0005581988.tif 000011
【図７】
0005581988.tif 000012
【図８】
0005581988.tif 000013
【図９】
0005581988.tif 000014
【図１０】
0005581988.tif 000015
【図１１】
0005581988.tif 000016